(57)【要約】  本発明は、固体状の過酸化物を、無水の非極性有機溶媒、非イオン性界面活性剤及び陰イオン性界面活性剤の含量が調節された液体に分散させることによって得られる新規の非水性酸素系液状漂白剤組成物に関する。当該組成物は、粘度の高いペースト状又はゲル状の懸濁液の形態を取る。前記組成物は、有効酸素の損失がなく、アルカリｐＨの範囲で漂白力及び洗浄力に優れ、保管中に粘度の変化や相分離が生じない等、化学的／物理的に安定しており、多目的に、例えば、衣類の漂白及び染みの除去、台所及び浴室の掃除、等に利用可能である。【選択図】  なし【特許請求の範囲】
【請求項１】
固体状の過酸化物０．１〜８５重量％、非水性有機溶媒１０〜８０重量％、陰イオン性界面活性剤０．１〜１０重量％、非イオン性界面活性剤０．１〜１０重量％、及び安定剤０．０１〜１５重量％を含む非水性酸素系液状漂白剤組成物であって、
粘度が５００〜５００００００ｃｐｓ（２５℃）であり、
前記固体状の過酸化物が液体成分中に分散された懸濁液をなしていることを特徴とする非水性酸素系液状漂白剤組成物。
【請求項２】
前記安定剤は、過酸化物安定剤、流動学的安定剤及びそれらの混合物からなる群から選択されることを特徴とする、請求項１記載の非水性酸素系液状漂白剤組成物。
【請求項３】
前記安定剤は、過酸化物安定剤０．０１〜１０重量％、流動学的安定剤０．０１〜５重量％、又は過酸化物安定剤０．０１〜１０重量％と流動学的安定剤０．０１〜５重量％との混合物であることを特徴とする、請求項１記載の非水性酸素系液状漂白剤組成物。
【請求項４】
増粘剤０．０１〜５重量％、充填剤０．１〜８５重量％、又は蛍光増白剤、酵素、香料及びそれらの混合物０．０１〜２重量％を更に含むことを特徴とする、請求項１〜３のいずれか１項に記載の非水性酸素系液状漂白剤組成物。
【請求項５】
前記過酸化物の平均粒子サイズは１〜７００μｍの範囲にあることを特徴とする、請求項１記載の非水性酸素系液状漂白剤組成物。
【請求項６】
前記過酸化物は、過炭酸塩、過ホウ酸塩、過硫酸塩、過酸化尿素及びそれらの混合物からなる群から選択されることを特徴とする、請求項１記載の非水性酸素系液状漂白剤組成物。
【請求項７】
前記非水性有機溶媒は、ポリアルキレングリコール、多価アルコール、アルキレングリコールモノアルキルエーテル、アルキルエステル、アルキルアミド及びそれらの混合物からなる群から選択されることを特徴とする、請求項１記載の非水性酸素系液状漂白剤組成物。
【請求項８】
前記非水性有機溶媒は、分子量２００〜６００のポリエチレングリコール、グリセロール、メチルエステル、メチルアミド、メチルアセテート、及びＣ２〜Ｃ３アルキレングリコールモノＣ２〜Ｃ６アルキルエーテルであることを特徴とする、請求項１又は７記載の非水性酸素系液状漂白剤組成物。
【請求項９】
前記陰イオン性界面活性剤は、下記化学式１で表される直鎖型アルキルベンゼンスルホン酸塩、下記化学式２で表される脂肪酸塩、下記化学式３で表される直鎖型アルキルスルホン酸塩、下記化学式４で表されるαオレフィンスルホン酸塩、及びそれらの混合物、からなる群から選択されることを特徴とする、請求項１記載の非水性酸素系液状漂白剤組成物。
（化学式１）
Ｒ１−Ｃ６Ｈ４−ＳＯ３Ｘ
（化学式２）
Ｒ２−ＣＨ２−ＣＯＯＸ
（化学式３）
Ｒ３−ＣＨ２−ＳＯ３Ｘ
（化学式４）
Ｒ３−ＣＨ＝ＣＨＣＨ２−ＳＯ３Ｘ
［化学式１〜４において、Ｒ１はＣ９〜Ｃ１５のアルキル鎖であり、Ｒ２はＣ１１〜Ｃ１６のアルキル鎖であり、Ｒ３はＣ１１〜Ｃ１８アルキル鎖であり、Ｘはアルカリ金属である。］
【請求項１０】
前記非イオン性界面活性剤は、下記化学式５で表される脂肪酸アルコールポリオキシエチレングリコール、下記化学式６で表される脂肪酸ポリオキシエチレングリコール、下記化学式７で表されるアルキルフェニルポリオキシエチレングリコール、及びそれらの混合物、からなる群から選択されることを特徴とする、請求項１記載の非水性酸素系液状漂白剤組成物。
（化学式５）
Ｒ４−ＣＨ２−（ＯＣＨ２ＣＨ２）ｎ−ＯＨ
（化学式６）
Ｒ４−ＣＯ−（ＯＣＨ２ＣＨ２）ｎ−ＯＨ
（化学式７）
Ｒ４−Ｃ６Ｈ４−（ＯＣＨ２ＣＨ２）ｎ−ＯＨ
［化学式５〜７において、ｎは５〜２５の整数であり、Ｒ４はＣ１１〜Ｃ１８のアルキル鎖である。］
【請求項１１】
前記陰イオン性界面活性剤と前記非イオン性界面活性剤との重量比は３：１〜１：３であることを特徴とする、請求項１記載の非水性酸素系液状漂白剤組成物。
【請求項１２】
前記過酸化物安定剤は、有機酸、有機酸の塩、アミノポリホスホン酸塩化合物、及びそれらの混合物、からなる群から選択されることを特徴とする、請求項２又は３記載の非水性酸素系液状漂白剤組成物。
【請求項１３】
前記有機酸は、クエン酸、ジピコリン酸、グルコン酸及びそれらの混合物からなる群から選択されることを特徴とする、請求項１２記載の非水性酸素系液状漂白剤組成物。
【請求項１４】
前記アミノポリホスホン酸塩化合物は、ヒドロキシエチレンジホスホン酸、エチレンジアミンテトラ（メチレンホスホン酸塩）、ジエチレントリアミンペンタ（メチレンホスホン酸塩）及びアミノトリ（メチレンホスホン酸塩）からなる群から選択されることを特徴とする、請求項１２記載の非水性酸素系液状漂白剤組成物。
【請求項１５】
前記流動学的安定剤は、安息香酸、安息香酸の誘導体、及びそれらの混合物、からなる群から選択されることを特徴とする、請求項２又は３記載の非水性酸素系液状漂白剤組成物。
【請求項１６】
前記増粘剤は、脂肪酸、架橋されたアクリル共重合体、コロイダルシリカ、カルボキシメチルセルロース、ポリビニルアルコール、ポリビニルピロリドン、ポリアクリル酸ナトリウム、及びそれらの混合物、からなる群から選択されることを特徴とする、請求項４記載の非水性酸素系液状漂白剤組成物。
【請求項１７】
前記脂肪酸は、飽和又は不飽和Ｃ１０〜Ｃ１８脂肪酸からなる群から選択される少なくとも２種の混合物であることを特徴とする、請求項１６記載の非水性酸素系液状漂白剤組成物。
【請求項１８】
前記架橋されたアクリル共重合体は、０．７５〜１．５％のポリアリルスクロースで架橋されたアクリル酸共重合体であることを特徴とする、請求項１６記載の非水性酸素系液状漂白剤組成物。
【請求項１９】
前記コロイダルシリカは、表面積が２００□／ｇであり、平均粒子サイズが１０〜１２□である親水性ヒュームドシリカ、又は表面積が１００□／ｇであり、平均粒子サイズが１０〜２０□である疎水性ヒュームドシリカであることを特徴とする、請求項１６記載の非水性酸素系液状漂白剤組成物。
【請求項２０】
前記充填剤は、炭酸ナトリウム（Ｎａ２ＣＯ３）、重炭酸ナトリウム（ＮａＨＣＯ３）及び硫酸ナトリウム（Ｎａ２ＳＯ４）から選択される１種、又はそれらのうちの複数種の混合物であることを特徴とする、請求項４記載の非水性酸素系液状漂白剤組成物。
【発明の詳細な説明】
【技術分野】
【０００１】
[3]  本発明は、非水性酸素系液状漂白剤組成物に関する。より詳細には、アルカリｐＨの範囲で漂白力及び洗浄力に優れ、貯蔵中、その優れた化学的、物理的安定性ゆえに、有効酸素の損失がほとんどなく、粘度の変化や相分離が生じない非水性酸素系液状漂白剤組成物に関する。本発明の非水性酸素系液状漂白剤組成物は、衣類の漂白及び染みの除去や、台所及び浴室の掃除に利用することができる。
【背景技術】
【０００２】
[6]  現在市販されている漂白剤は、大きく塩素系漂白剤と酸素系漂白剤とに分けられる。
【０００３】
[7]  英国特許第２２２９４６０号明細書には、次亜塩素酸ナトリウムを主成分とする塩素系漂白剤が開示されている。塩素系漂白剤は、漂白力は強いが、カラー衣類を変色させたり、繊維構造を破壊したりという短所がある。更に、使用時に人体に有害な塩素の存在により不快臭を発生するという短所がある。
【０００４】
[8]  一方、酸素系漂白剤は、塩素系漂白剤が有する上述のような短所がないため、最近その使用量が増加している。このような酸素系漂白剤は、形態によって大きく液体漂白剤と粉末漂白剤とに分けられる。
【０００５】
[9]  現在市販されている酸素系漂白剤の大部分は、過炭酸ソーダ（ｓｏｄｉｕｍ ｃａｒｂｏｎａｔｅ ｐｅｒｏｘｙｈｙｄｒａｔｅ）又は過ホウ酸ソーダを使用した粉末漂白剤であるが、これらは、常温の水、特に冷水に溶けにくいという短所がある。更に、粉末漂白剤を製造する際、各固体成分間の均一な混合が難しく、粉塵が発生し、更に、染みに対する部分漂白が難しいという短所がある。
【０００６】
[10]  従って、消費者は、その使いやすさのため、液体漂白剤を粉末漂白剤製品より選り好む傾向がある。液体漂白剤は粉末漂白剤より計量が容易であり、水に素早く溶け、粉塵を発生せず、保管中に粉末漂白剤でしばしば見られる固化現象がないという長所がある。
【０００７】
[11]  米国特許第６２３５６９９号、第５９２９０１２号及び第４９００４６８号明細書には、過酸化水素を使用する液体漂白剤が開示されている。過酸化水素を利用したこの液体漂白剤は、保管中に、過酸化水素の分解により、保管容器が膨張したり、漂白力が減少したりという問題がある。更に、過酸化水素を安定化させるためには、漂白剤溶液のｐＨを酸性に維持しなければならないが、このような低いｐＨ下では漂白力及び洗浄力が著しく低下する。
【０００８】
[12]  米国特許第３４９９８４４号及び第４１３０５０１号明細書には、液体漂白剤の化学的安定度を高めるために洗浄組成物の粘度を高める方法が開示されている。しかし、この方法は、漂白剤のｐＨが酸性の場合に漂白力及び洗浄力が著しく低下するという問題があり、更に、保管中に過酸化水素の分解により組成物の粘度が変化し、商品化が難しいという問題がある。
【発明の開示】
【発明が解決しようとする課題】
【０００９】
[15]  そこで、本発明の目的は、ペースト状又はゲル状の非水性酸素系液状漂白剤組成物を提供することにある。
【００１０】
[16]  本発明の別の目的は、無水で非極性の水混和性有機溶媒と、種類／含量が調節された界面活性剤と、を含む液体に、一定範囲の粒子サイズの固体状の過酸化物を分散させることで得られる非水性酸素系液状漂白剤組成物を提供することにある。
【００１１】
[17]  本発明の更に別の目的は、化学的安定性に優れ、有効酸素の損失が少なく、また、物理的安定性に優れ、粘度の変化や、液体相−固体相の分離が生じない非水性酸素系液状漂白剤組成物を提供することにある。
【課題を解決するための手段】
【００１２】
[20]  上記目的を達成するために、本発明は、固体状の過酸化物０．１〜８５重量％、非水性有機溶媒１０〜８０重量％、陰イオン性界面活性剤０．１〜１０重量％、非イオン性界面活性剤０．１〜１０重量％、及び安定剤０．０１〜１５重量％を含む非水性酸素系液状漂白剤組成物であって、粘度が５００〜５００００００ｃｐｓ（２５℃）の範囲にある懸濁液をなしていることを特徴とする非水性酸素系液状漂白剤組成物を提供する。
【００１３】
[21]  本発明は更に、高粘度のペースト状又はゲル状の懸濁液の形態の、新規の非水性液状漂白組成物であって、固体状の過酸化物を、無水の非極性有機溶媒、非イオン性界面活性剤及び陰イオン性界面活性剤の含量が調節された液体に分散させることで得られる非水性液状漂白組成物を提供する。
【発明の効果】
【００１４】
[24]  新規の非水性液状漂白剤組成物は次のような効果をもたらす。
【００１５】
[25]  第１に、非水性液状漂白剤組成物は、衣類の漂白及び染みの除去や、台所及び浴室の掃除に利用することができる。
【００１６】
[26]  第２に、非水性液状漂白剤組成物は、有効酸素の損失が少なく、アルカリｐＨの範囲で漂白力及び洗浄力に優れ、貯蔵中の粘度の変化や相分離が生じない等、化学的、物理的に安定している。
【００１７】
[27]  第３に、非水性液状漂白剤組成物は、アルカリ条件下で漂白力及び洗浄力が増大する。
【発明を実施するための最良の形態】
【００１８】
[30]  以下、本発明を実施するための最良の形態を詳細に説明する。
【００１９】
[31]  本発明の非水性酸素系液状漂白剤組成物は、固体状の過酸化物、非水性有機溶媒、陰イオン性界面活性剤、非イオン性界面活性剤、及び安定剤を含む。非水性酸素系液状漂白剤組成物は、更に、増粘剤、充填剤、蛍光増白剤、酵素及び香料を含むことができる。
【００２０】
[32]  本発明で使用される固体状の過酸化物は、過酸化水素を形成させることのできる物質であり、過炭酸塩、過ホウ酸塩、過硫酸塩、過酸化尿素及び金属過酸化物（ＺｎＯ２、ＭｎＯ２及びＣａＯ２）からなる群から選択されるものが使用可能であるが、過炭酸塩を使用するのが最も好ましい。過炭酸塩は、炭酸ナトリウム及び過酸化水素を組み合わせることによって得られ、有効酸素の含量が高く、水に対する溶解度が高い環境親和的な化合物である。過酸化物は、平均粒子サイズが１〜７００μｍの範囲のものを使用することが好ましい。粒子サイズが大きいと、過酸化物の含量を増加させることができるが、大きすぎると、水に対する溶解度が落ちるため好ましくない。固体状の過酸化物の使用量は０．１〜８５重量％、好ましくは１〜７５重量％である。使用量が０．１重量％未満の場合、漂白剤としての効果がなく、８５重量％を超過すると、物理的安定度が低下する。
【００２１】
[33]  更に、前記非水性有機溶媒は、組成物の化学的／物理的安定度に大きく影響を与えるため、その選定には特に注意を傾ける必要がある。従って、非水性有機溶媒の選択は、本発明の技術構成上の重要な特徴の一つである。
【００２２】
[34]  前記非水性有機溶媒としては、典型的には水混和性有機溶媒を使用するが、前記過酸化物（特に過炭酸塩）は、水に溶けると組成物の化学的安定度に悪影響を与える。従って、本発明における非水性有機溶媒としては、無水（０．５重量％未満）及び非吸湿性溶媒を選択する。
【００２３】
[35]  また、本発明における溶媒としては、極性の低いものが好ましい。極性の高い溶媒（例えば、エタノール、プロパノール）は、過炭酸塩等の過酸化物を溶かすことから好ましくない。更に、本発明で使用される非水性有機溶媒は、同時に使用される他の成分と反応しないものであることが好ましい。
【００２４】
[36]  前記条件を充足させる非水性有機溶媒としては、ポリアルキレングリコール、多価アルコール、アルキレングリコールモノアルキルエーテル、アルキルエステル及びアルキルアミドからなる群から選択される１種、又はそれらのうちの複数種の混合物が挙げられる。
【００２５】
[37]  前記有機溶媒としては、分子量及び極性の低いものが好ましい。例えば、ポリエチレングリコール（分子量２００〜６００）、グリセロール、メチルエステル、メチルアミド及びメチルアセテートが好ましい。前記アルキレングリコールモノアルキルエーテルとしては、モノ−、ジ−、トリ−及びテトラアルキレングリコールモノアルキルエーテルを使用し、アルキレンとしてはＣ２〜Ｃ３のもの、アルキルとしてはＣ２〜Ｃ６のものを使用する。ここで、非水性有機溶媒の使用量は１０〜８０重量％、好ましくは２０〜６０重量％である。使用量が１０重量％未満であるか８０重量％を超過すると、物理的安定度が低下する。
【００２６】
[38]  本発明における界面活性剤としては、陰イオン性界面活性剤及び非イオン性界面活性剤を使用することができる。
【００２７】
[39]  前記陰イオン性界面活性剤は、下記化学式１で表される直鎖型アルキルベンゼンスルホン酸塩、下記化学式２で表される脂肪酸塩、下記化学式３で表される直鎖型アルキルスルホン酸塩、下記化学式４で表されるαオレフィンスルホン酸塩、及びそれらの混合物、からなる群から選択される。
【００２８】
[40]  （化学式１）
Ｒ１−Ｃ６Ｈ４−ＳＯ３Ｘ
[42]  （化学式２）
Ｒ２−ＣＨ２−ＣＯＯＸ
[44]  （化学式３）
Ｒ３−ＣＨ２−ＳＯ３Ｘ
[46]  （化学式４）
Ｒ３−ＣＨ＝ＣＨＣＨ２−ＳＯ３Ｘ
【００２９】
[48]  化学式１〜４において、Ｒ１はＣ９〜Ｃ１５のアルキル鎖であり、Ｒ２はＣ１１〜Ｃ１６のアルキル鎖であり、Ｒ３はＣ１１〜Ｃ１８アルキル鎖であり、Ｘはアルカリ金属である。
【００３０】
[49]  陰イオン性界面活性剤の使用量は０．１〜１０重量％、好ましくは０．５〜５重量％である。使用量が０．１重量％未満の場合、洗浄力が落ち、１０重量％を超過すると、組成物の物理的安定度が低下する。
【００３１】
[50]  前記非イオン性界面活性剤は、下記化学式５で表される脂肪酸アルコールポリオキシエチレングリコール、下記化学式６で表される脂肪酸ポリオキシエチレングリコール、下記化学式７で表されるアルキルフェニルポリオキシエチレングリコール、及びそれらの混合物、からなる群から選択される。
【００３２】
[51]  （化学式５）
Ｒ４−ＣＨ２−（ＯＣＨ２ＣＨ２）ｎ−ＯＨ
[53]  （化学式６）
Ｒ４−ＣＯ−（ＯＣＨ２ＣＨ２）ｎ−ＯＨ
[55]  （化学式７）
Ｒ４−Ｃ６Ｈ４−（ＯＣＨ２ＣＨ２）ｎ−ＯＨ
【００３３】
[57]  化学式５〜７において、ｎは５〜２５の整数であり、Ｒ４はＣ１１〜Ｃ１８のアルキル鎖である。
【００３４】
[58]  非イオン性界面活性剤の使用量は０．１〜１０重量％、好ましくは０．５〜５重量％である。使用量が０．１重量％未満の場合、洗浄力が落ち、１０重量％を超過すると、組成物の物理的安定度が低下する。
【００３５】
[59]  更に、陰イオン性界面活性剤及び非イオン性界面活性剤の使用量及び比率は、組成物の化学的／物理的安定度に影響を与えるため、技術構成上の非常に重要な特徴の一つである。
【００３６】
[60]  本発明の非水性酸素系液状漂白剤組成物において、陰イオン性界面活性剤及び非イオン性界面活性剤の重量比は３：１〜１：３である。界面活性剤の重量比が前記範囲を外れると、組成物の物理的安定度が低下する。界面活性剤の使用量は０．２〜２０重量％、好ましくは１〜１０重量％である。
【００３７】
[61]  前記安定剤としては、過酸化物安定剤、流動学的安定剤（ｒｈｅｏｌｏｇｉｃａｌ  ｓｔａｂｉｌｉｚｅｒ）及びそれらの混合物を使用することができる。より詳細には、過酸化物安定剤０．０１〜１０重量％、流動学的安定剤０．０１〜５重量％、又は過酸化物安定剤０．０１〜１０重量％と流動学的安定剤０．０１〜５重量％との混合物を使用することができる。
【００３８】
[62]  前記過酸化物安定剤（キレート剤）としては、有機酸、有機酸の塩、及びアミノポリホスホン酸塩（ａｍｉｎｏ ｐｏｌｙｐｈｏｓｐｈｏｎａｔｅ）化合物、からなる群から選択される少なくとも１種を使用する。有機酸は、クエン酸、ジピコリン酸及びグルコン酸からなる群から選択することができる。アミノポリホスホン酸塩化合物は、ヒドロキシエチレンジホスホン酸、エチレンジアミンテトラ（メチレンホスホン酸塩）、ジエチレントリアミンペンタ（メチレンホスホン酸塩）及びアミノトリ（メチレンホスホン酸塩）からなる群から選択することができる。特に、無水の安定剤がより効果的である。安定剤の使用量は０．０１〜１０重量％、好ましくは０．１〜５重量％である。使用量が０．０１重量％未満の場合、組成物の化学的安定度が低下し、５重量％を超過すると、化学的安定度の上昇効果がなくなる。現在市販されている安定剤としては、Ｓｏｌｕｔｉａ社のＤｅｑｕｅｓｔＴＭシリーズが挙げられる。
【００３９】
[63]  前記流動学的安定剤は、保管中、ペースト状又はゲル状の懸濁液組成物の粘度を維持するために使用される。流動学的安定剤は、安息香酸、安息香酸の誘導体、及び芳香族化合物（現在市販されている、Ｎｏｖｅｏｎ社のＯＸＹ−ＲＩＴＥ１００ＴＭ）、からなる群から選択される。流動学的安定剤の使用量は０．０１〜５重量％、好ましくは０．１〜３重量％である。
【００４０】
[64]  前記増粘剤は、高い物理的安定度を有する懸濁液を製造するために使用される。増粘剤は、脂肪酸、架橋されたアクリル共重合体、コロイダルシリカ、カルボキシメチルセルロース、ポリビニルアルコール、ポリビニルピロリドン、ポリアクリル酸ナトリウム、及びそれらの混合物、からなる群から選択される。
【００４１】
[65]  前記脂肪酸は、炭素数１０〜１８の飽和又は不飽和脂肪酸から選択される少なくとも２種の混合物であり、好ましくは、カプリン酸、ラウリン酸、ミリスチン酸及びパルミチン酸から選択される少なくとも２種の混合物である。脂肪酸の使用量は０．０１〜５重量％、好ましくは０．１〜１．５重量％である。
【００４２】
[66]  前記架橋されたアクリル共重合体としては、０．７５〜１．５％のポリアリルスクロース（ｐｏｌｙａｌｌｉｌｓｕｃｒｏｓｅ）で架橋されたアクリル酸共重合体を使用することができる。架橋されたアクリル共重合体の使用量は０．０１〜１．５重量％、好ましくは０．２〜１重量％である。
【００４３】
[67]  前記コロイダルシリカとしては、表面積が２００□／ｇであり、平均粒子サイズが１０〜１２□である親水性ヒュームドシリカ、又は表面積が１００□／ｇであり、平均粒子サイズが１０〜２０□である疎水性ヒュームドシリカを使用することができる。コロイダルシリカの使用量は０．０１〜５重量％、好ましくは１〜３重量％である。現在市販されている増粘剤としては、Ｎｏｖｅｏｎ社のＣａｒｂｏｐｏｌ ６７６、９３４、９３７、９４０、９４１；Ｄｅｇｕｓｓａ社のＡｅｒｏｓｉｌ ２００；Ｃａｂｏｔ社のＣａｂｏｓｉｌ ｆｕｍｅｄ ｓｉｌｉｃａが挙げられる。
【００４４】
[68]  本発明の非水性酸素系液状漂白剤組成物は、充填剤がなくても、化学的に安定した懸濁剤を形成することができるが、必要に応じて、原材料（ｂｕｉｌｄｅｒ）及び水分吸収剤の役割を果たす充填剤を使用することもできる。充填剤は、炭酸ナトリウム（Ｎａ２ＣＯ３）、重炭酸ナトリウム（ＮａＨＣＯ３）、硫酸ナトリウム（Ｎａ２ＳＯ４）及びそれら混合物から選択される。充填剤の使用量は０．１〜８５重量％、好ましくは０．５〜７０重量％である。使用量が０．１重量％未満の場合、組成物の化学的安定度が低下し、８５重量％を超過すると、物理的安定度が低下する。
【００４５】
[69]  金属物質（例えば、鉄、マンガン、銅、クロム）は、過酸化物の分解を促進し、組成物の化学的安定度を低下させるため、金属物質を組成物の成分として含有させ、又は組成物の製造中に導入するのは好ましくない。当業界で通常使用される、酸化防止剤、着色剤、蛍光増白剤、沈殿防止剤、洗浄酵素、香料等の様々な成分を少量含有させることもできる。これらの少量成分の総使用量は０．０１〜２重量％である。
【００４６】
[70]  前述した通り、本発明の非水性酸素系液状漂白剤組成物は、粘度が５００〜５００００００ｃｐｓ（剪断速度２１／ｓｅｃ、２５℃）のペースト状又はゲル状の非水性懸濁液であり、過酸化水素を生成する過酸化物、水混和性有機溶媒、界面活性剤、過酸化物安定剤（キレート剤）、流動学的安定剤、増粘剤及び充填剤を含む。組成物は更に、添加剤として、少量の蛍光増白剤、酵素及び香料を含むことができる。また、組成物の水分含量は１．０重量％未満、好ましくは０．５重量％未満である。組成物は、保管中も物理的、化学的に安定しており、使用が容易であり、衣類の損傷なしに染みを洗浄・除去することができ、台所、浴室、換気口等の殺菌・洗浄にも利用することができる。
【実施例】
【００４７】
[72]  以下、本発明を実施例に基づいて具体的に説明する。但し、本発明は、以下の実施例により限定されるものではない。
【００４８】
〔実施例１〜１４及び比較例１〜６〕
[74]  漂白組成物を製造するために、３−ブレードプロペラ攪拌器及び冷却装置を具備した１Ｌガラス反応器に、有機溶媒及び非イオン性界面活性剤を入れた後、攪拌器で攪拌した。６００ｒｐｍ以上で攪拌しながら、増粘剤、陰イオン性界面活性剤、過酸化物安定剤、流動学的安定剤及び蛍光増白剤を、有機溶媒及び非イオン性界面活性剤の混合液に添加して溶解させ、１時間後、混合液に充填剤を添加した。この時、過酸化物安定剤は、種類によっては溶解されないこともある。
【００４９】
[75]  １０分間攪拌した後、粉末形態の過酸化物及び酵素を混合溶液に徐々に投入し、更に３０分〜１時間攪拌した。泡の形成により攪拌が困難な場合は、真空下で混合液を攪拌して泡を除去した。反応器内部の温度が３５℃を超えると、冷却装置を用いて系の温度を下げた。必要に応じて、これらの工程の後に香料を添加することもできる。
【００５０】
[76]  実施例１〜７及び比較例１〜３で使用された組成成分及び使用量を下記表１に、実施例８〜１４及び比較例４〜６で使用された組成成分及び使用量を下記表２に示す。
【００５１】
〔実験例１：化学的及び物理的安定度の測定〕
（化学的安定度の測定）
[79]  実施例１〜１４及び比較例１〜６で製造された漂白剤組成物を、５０℃で１ヶ月間保管した後、過マンガン酸カリウム（ＫＭｎＯ４）を用いる滴定法で有効酸素の損失を計算して、化学的安定度を測定した。結果を下記表１及び２に示す。有効酸素の損失が１０％未満（安定度が９０％超）の場合、安定していると判定した。
【００５２】
（物理的安定度の測定）
[81]  実施例１〜１４及び比較例１〜６で製造された漂白剤組成物を、１００ｍＬメスシリンダーに入れ、常温で１ヶ月間保管した後、相分離の程度を測定した。更に、凍結−融解サイクル（−４℃／４０℃）条件下で１ヶ月間保管した後、相分離の程度を測定した。結果を下記表１及び２に示す。
【００５３】
[82]  化学組成物が物理的に安定しているということは、化学組成物において相分離が発生しないことを意味する。１００ｍＬメスシリンダーにおいて、相分離により生じた上清を、シリンダーの目盛りを読むことにより測定した。結果を下記表１及び２に示す。表中の上清の値が小さいほど、物理的安定度は高い。
【００５４】
【表１−１】
2008546897.tif 000002
【００５５】
【表１−２】
2008546897.tif 000003
【００５６】
[85]  表１に示されている通り、溶媒としてＰＥＧ４００を使用した実施例１の組成物と比較して、ＰＥＧ２００を使用した比較例１の組成物では、相分離の発生が見られ、また、有効酸素の損失が大きく、化学的安定度が低い。更に、溶媒としてＰＥＧ４００及び無水エタノールを使用した比較例２の組成物でも、物理的及び化学的安定度が微弱である。
【００５７】
[86]  充填剤として炭酸ナトリウム及び硫酸ナトリウムを使用した実施例２の組成物は、実施例１の組成物と比較して、化学的安定度及び漂白力に優れている。増粘剤としてＣａｒｂｏｍｅｒを使用した実施例３の組成物は、優れた安定度を示している。また、増粘剤を使用しなかった実施例４〜７の組成物も、増粘剤を使用した実施例１〜３及び実施例５〜６の組成物と同程度に良好な物理的及び化学的安定度を示している。他方、漂白活性化剤を使用した比較例３の組成物は、漂白力は強いものの、化学的安定度は微弱である。
【００５８】
[87]  平均粒子サイズが６２０μｍの過炭酸塩を使用した実施例５の組成物、並びに過炭酸塩３重量％及び充填剤（炭酸ナトリウム及び硫酸ナトリウム）６０重量％を使用した実施例６の組成物は、良好な物理的及び化学的安定度を示している。過酸化物として過ホウ酸塩を使用した実施例７の組成物もまた、良好な物理的及び化学的安定度を示している。
【００５９】
【表２−１】
2008546897.tif 000004
【００６０】
【表２−２】
2008546897.tif 000005
【００６１】
[89]  表２に示されている通り、ＰＥＧ４００を使用した実施例８〜１４の組成物と比較して、溶媒としてＰＥＧ２００を使用した比較例４の組成物では、相分離の発生が見られ、また、有効酸素の損失が大きい。これは、物理的及び化学的安定度が微弱であることを意味する。更に、ＰＥＧ４００及び無水エタノールを共に使用した比較例５の組成物でも、物理的及び化学的安定度が微弱である。
【００６２】
[90]  増粘剤を使用しなかった実施例８、１２及び１４の組成物は、増粘剤を使用しなかった実施例９〜１１及び１３の組成物と同程度の物理的安定度を示している。他方、漂白活性化剤であるＴＡＥＤを使用した比較例６の組成物は、漂白力は強いものの、物理的及び化学的安定度は微弱である。
【００６３】
[91]  平均粒子サイズが６２０μｍの過炭酸塩を使用した実施例１２の組成物、並びに過炭酸塩３重量％及び充填剤（炭酸ナトリウム及び硫酸ナトリウム）６０重量％を使用した実施例１３の組成物は、良好な物理的及び化学的安定度を示している。過酸化物として過ホウ酸塩を使用した実施例１４の組成物もまた、良好な物理的及び化学的安定度を示している。
【００６４】
〔実験例２：漂白力テスト〕
[93]  洗浄力測定器（Ｔｅｒｇ−Ｏ−ｔｏｍｅｔｅｒ）に、水（２０℃、硬度：５０ＣａＣＯ３ｐｐｍ）、実施例１、４、８及び１１で製造された本発明の漂白剤組成物、並びに市販の粉末漂白剤１ｇ／Ｌを各々添加した。ここに、赤ワイン（ＥＭＰＡ １１４）、コーヒー（ｗｆｋ ＢＣ−２）、唐辛子（ｗｆｋ １０Ｐ）、茶（ｗｆｋ ＢＣ−３）等の標準汚染布（５ｃｍ×５ｃｍ）、各１０枚を１０分間洗浄した後、水道水で３分間濯ぎ、室温で乾燥させた。布の洗浄前後の白色度を色度計で測定し、下記数式１のクベルカ・ムンク（Ｋｕｂｅｌｌｋａ−Ｍｕｎｋ）式を用いて漂白力を計算した。結果を下記表３に示す。
【００６５】
[94]  （数式１）
漂白率（％）＝［(１−Ｒｓ)２／２Ｒｓ−（１−Ｒｂ）２／２Ｒｂ］／［（１−Ｒｓ）２／２Ｒｓ−（１−Ｒｏ）２／２Ｒｏ］×１００
【００６６】
[97]  数式１において、Ｒｓは汚染布の表面反射率であり、Ｒｂは洗浄後の布の表面反射率であり、Ｒｏは白布の表面反射率である。
【００６７】
【表３】
2008546897.tif 000006
【００６８】
[99]  表３に示されている通り、実施例１、４、８及び１１で製造された本発明の非水性酸素系液状漂白剤組成物は、市販の粉末漂白剤と比較して、赤ワイン、コーヒー、唐辛子及び茶の汚染に対して同等又はそれ以上の漂白力を示している。
【００６９】
[100]  本発明の実施形態を説明・例示したが、様々な変更及び修飾が、添付の特許請求の範囲によってのみ制限される本発明の精神を逸脱することなく、その範囲内でなされ得ることは明らかである。
【産業上の利用可能性】
【００７０】
[103]  前述した通り、本発明の非水性酸素系液状漂白剤組成物は、液状漂白剤及び粉末漂白剤の長所を両方有する。そのような長所としては、長時間の保管中でも低温及び高温条件で有効酸素の損失が少ない、という高い化学的安定性、並びに、粘度の変化がなく、漂白剤組成物中の液体成分及び固体成分間の相分離が生じない、という高い物理的安定性が挙げられる。
【００７１】
[104]  更に、本発明の非水性酸素系液状漂白剤組成物は、漂白力に優れ、低温での溶解度が高く、使用時に粉塵が発生しない、等の特徴を有し、多目的に、例えば、衣類の漂白及び染みの除去、台所及び浴室の掃除、等に利用可能である。
【手続補正書】
【提出日】平成19年1月19日(2007.1.19)
【手続補正１】
【補正対象書類名】特許請求の範囲
【補正対象項目名】全文
【補正方法】変更
【補正の内容】
【特許請求の範囲】
【請求項１】
固体状の過酸化物０．１〜８５重量％、非水性有機溶媒１０〜８０重量％、陰イオン性界面活性剤０．１〜１０重量％、非イオン性界面活性剤０．１〜１０重量％、及び安定剤０．０１〜１５重量％を含む非水性酸素系液状漂白剤組成物であって、
粘度が５００〜５００００００ｃｐｓ（２５℃）であり、
前記陰イオン性界面活性剤と前記非イオン性界面活性剤との重量比が３：１〜１：３であり、
当該組成物のｐＨがアルカリ範囲内にあり、
前記固体状の過酸化物が液体成分中に分散された懸濁液をなしていることを特徴とする非水性酸素系液状漂白剤組成物。
【請求項２】
前記安定剤は、過酸化物安定剤、流動学的安定剤及びそれらの混合物からなる群から選択されることを特徴とする、請求項１記載の非水性酸素系液状漂白剤組成物。
【請求項３】
前記安定剤は、過酸化物安定剤０．０１〜１０重量％、流動学的安定剤０．０１〜５重量％、又は過酸化物安定剤０．０１〜１０重量％と流動学的安定剤０．０１〜５重量％との混合物であることを特徴とする、請求項１記載の非水性酸素系液状漂白剤組成物。
【請求項４】
増粘剤０．０１〜５重量％、充填剤０．１〜８５重量％、又は蛍光増白剤、酵素、香料及びそれらの混合物０．０１〜２重量％を更に含むことを特徴とする、請求項１〜３のいずれか１項に記載の非水性酸素系液状漂白剤組成物。
【請求項５】
前記過酸化物の平均粒子サイズは１〜７００μｍの範囲にあることを特徴とする、請求項１記載の非水性酸素系液状漂白剤組成物。
【請求項６】
前記過酸化物は、過炭酸塩、過ホウ酸塩、過硫酸塩、過酸化尿素及びそれらの混合物からなる群から選択されることを特徴とする、請求項１記載の非水性酸素系液状漂白剤組成物。
【請求項７】
前記非水性有機溶媒は、ポリアルキレングリコール、多価アルコール、アルキレングリコールモノアルキルエーテル、アルキルエステル、アルキルアミド及びそれらの混合物からなる群から選択されることを特徴とする、請求項１記載の非水性酸素系液状漂白剤組成物。
【請求項８】
前記非水性有機溶媒は、分子量２００〜６００のポリエチレングリコール、グリセロール、メチルエステル、メチルアミド、メチルアセテート、及びＣ２〜Ｃ３アルキレングリコールモノＣ２〜Ｃ６アルキルエーテルであることを特徴とする、請求項１又は７記載の非水性酸素系液状漂白剤組成物。
【請求項９】
前記陰イオン性界面活性剤は、下記化学式１で表される直鎖型アルキルベンゼンスルホン酸塩、下記化学式２で表される脂肪酸塩、下記化学式３で表される直鎖型アルキルスルホン酸塩、下記化学式４で表されるαオレフィンスルホン酸塩、及びそれらの混合物、からなる群から選択されることを特徴とする、請求項１記載の非水性酸素系液状漂白剤組成物。
（化学式１）
Ｒ１−Ｃ６Ｈ４−ＳＯ３Ｘ
（化学式２）
Ｒ２−ＣＨ２−ＣＯＯＸ
（化学式３）
Ｒ３−ＣＨ２−ＳＯ３Ｘ
（化学式４）
Ｒ３−ＣＨ＝ＣＨＣＨ２−ＳＯ３Ｘ
［化学式１〜４において、Ｒ１はＣ９〜Ｃ１５のアルキル鎖であり、Ｒ２はＣ１１〜Ｃ１６のアルキル鎖であり、Ｒ３はＣ１１〜Ｃ１８アルキル鎖であり、Ｘはアルカリ金属である。］
【請求項１０】
前記非イオン性界面活性剤は、下記化学式５で表される脂肪酸アルコールポリオキシエチレングリコール、下記化学式６で表される脂肪酸ポリオキシエチレングリコール、下記化学式７で表されるアルキルフェニルポリオキシエチレングリコール、及びそれらの混合物、からなる群から選択されることを特徴とする、請求項１記載の非水性酸素系液状漂白剤組成物。
（化学式５）
Ｒ４−ＣＨ２−（ＯＣＨ２ＣＨ２）ｎ−ＯＨ
（化学式６）
Ｒ４−ＣＯ−（ＯＣＨ２ＣＨ２）ｎ−ＯＨ
（化学式７）
Ｒ４−Ｃ６Ｈ４−（ＯＣＨ２ＣＨ２）ｎ−ＯＨ
［化学式５〜７において、ｎは５〜２５の整数であり、Ｒ４はＣ１１〜Ｃ１８のアルキル鎖である。］
【請求項１１】
前記過酸化物安定剤は、有機酸、有機酸の塩、アミノポリホスホン酸塩化合物、及びそれらの混合物、からなる群から選択されることを特徴とする、請求項２又は３記載の非水性酸素系液状漂白剤組成物。
【請求項１２】
前記有機酸は、クエン酸、ジピコリン酸、グルコン酸及びそれらの混合物からなる群から選択されることを特徴とする、請求項１１記載の非水性酸素系液状漂白剤組成物。
【請求項１３】
前記アミノポリホスホン酸塩化合物は、ヒドロキシエチレンジホスホン酸、エチレンジアミンテトラ（メチレンホスホン酸塩）、ジエチレントリアミンペンタ（メチレンホスホン酸塩）及びアミノトリ（メチレンホスホン酸塩）からなる群から選択されることを特徴とする、請求項１１記載の非水性酸素系液状漂白剤組成物。
【請求項１４】
前記流動学的安定剤は、安息香酸、安息香酸の誘導体、及びそれらの混合物、からなる群から選択されることを特徴とする、請求項２又は３記載の非水性酸素系液状漂白剤組成物。
【請求項１５】
前記増粘剤は、脂肪酸、架橋されたアクリル共重合体、コロイダルシリカ、カルボキシメチルセルロース、ポリビニルアルコール、ポリビニルピロリドン、ポリアクリル酸ナトリウム、及びそれらの混合物、からなる群から選択されることを特徴とする、請求項４記載の非水性酸素系液状漂白剤組成物。
【請求項１６】
前記脂肪酸は、飽和又は不飽和Ｃ１０〜Ｃ１８脂肪酸からなる群から選択される少なくとも２種の混合物であることを特徴とする、請求項１５記載の非水性酸素系液状漂白剤組成物。
【請求項１７】
前記架橋されたアクリル共重合体は、０．７５〜１．５％のポリアリルスクロースで架橋されたアクリル酸共重合体であることを特徴とする、請求項１５記載の非水性酸素系液状漂白剤組成物。
【請求項１８】
前記コロイダルシリカは、表面積が２００ｍ２／ｇであり、平均粒子サイズが１０〜１２ｎｍである親水性ヒュームドシリカ、又は表面積が１００ｍ２／ｇであり、平均粒子サイズが１０〜２０ｎｍである疎水性ヒュームドシリカであることを特徴とする、請求項１５記載の非水性酸素系液状漂白剤組成物。
【請求項１９】
前記充填剤は、炭酸ナトリウム（Ｎａ２ＣＯ３）、重炭酸ナトリウム（ＮａＨＣＯ３）及び硫酸ナトリウム（Ｎａ２ＳＯ４）から選択される１種、又はそれらのうちの複数種の混合物であることを特徴とする、請求項４記載の非水性酸素系液状漂白剤組成物。
【国際調査報告】
2008546897.tif 000007
2008546897.tif 000008